(57)【要約】【課題】無線システムの切替の際に、切替に先行して切替先へのデータ送信をサーバ装置に対して要求しておくことにより、接続後直ちに受信を開始し、シームレスな切替を実現する無線端末装置及びサーバ装置を得る。【解決手段】無線端末装置１は、複数の無線システムと同時に通信を行うための複数の通信処理部２，３と、各無線システムに対応した識別子により応答経路を指定した要求メッセージをサーバ装置６に送信するための通信制御部４とを備る。また、サーバ装置６は、無線端末装置１への応答経路の情報を含む要求メッセージを無線端末装置１から受信し、前記応答経路の情報に基づいて無線端末装置１への応答経路を指定した応答メッセージを送信する経路制御部８を備える。【選択図】図１
2007274018.tif 000002
【特許請求の範囲】
【請求項１】
複数の無線システムと同時に通信を行うための複数の通信処理部と、
各無線システムに対応した識別子により応答経路を指定した要求メッセージをサーバ装置に送信するための通信制御部と
を備えた無線端末装置。
【請求項２】
請求項１に記載の無線端末装置において、
前記通信制御部は、無線システム切替の過渡期に複数の無線システムのそれぞれのインタフェースに対応した経路での応答を要求する要求メッセージをサーバ装置に送信する
ことを特徴とする無線端末装置。
【請求項３】
請求項２に記載の無線端末装置において、
前記通信制御部は、１つの要求メッセージで複数の応答経路での応答を要求する
ことを特徴とする無線端末装置。
【請求項４】
無線端末装置への応答経路の情報を含む要求メッセージを無線端末装置から受信し、前記応答経路の情報に基づいて無線端末装置への応答経路を指定した応答メッセージを送信する経路制御部を備えたサーバ装置。
【請求項５】
請求項４に記載のサーバ装置において、
前記経路制御部は、無線端末装置への複数の応答経路を示す情報を含む要求メッセージを無線端末装置から受信し、それぞれの経路宛の複数の応答メッセージを生成し送信する  ことを特徴とするサーバ装置。
【発明の詳細な説明】
【技術分野】
【０００１】
この発明は、無線システムのシームレスな切替を行う無線端末装置及びサーバ装置に関するものである。
【背景技術】
【０００２】
従来の無線端末装置においては、無線システムの切替やハンドオーバーの際にルーティング用のホストアドレスが変わるため、無線システムの切替直後には切替元側に応答が返り、切替先に応答が来ない場合があった。このとき、ネットワーク側の制御により、ハンドオーバー時間を短くする方法などが提案されている（例えば、特許文献１参照）。
【０００３】
【特許文献１】特開２００５−８６４５６号公報
【発明の開示】
【発明が解決しようとする課題】
【０００４】
従来の無線端末装置は、無線システムの切替の際に、切替先の接続が完了するまで、切り替え先の無線システム経由の要求が発信できないため、ネットワークの伝送遅延などにより、無線システム切り替えから、最初のデータを受信するまでに時間がかかるという問題点があった。
【０００５】
この発明は上記のような問題点を解決するためになされたもので、切替先無線システム経由でのデータ受信を切替先の接続前に、切替元無線システム経由で予め要求しておくことにより、切替先無線システムの接続後直ちに受信を開始し、シームレスな切替を実現することができる無線端末装置及びサーバ装置を得ることを目的とする。
【課題を解決するための手段】
【０００６】
この発明に係る無線端末装置は、複数の無線システムと同時に通信を行うための複数の通信処理部と、各無線システムに対応した識別子により応答経路を指定した要求メッセージをサーバ装置に送信するための通信制御部とを備えたものである。
【０００７】
また、この発明に係るサーバ装置は、無線端末装置への応答経路の情報を含む要求メッセージを無線端末装置から受信し、前記応答経路の情報に基づいて無線端末装置への応答経路を指定した応答メッセージを送信する経路制御部を備えたものである。
【発明の効果】
【０００８】
この発明によれば、無線システムの切替の際に、切替に先行して切替先へのデータ送信をサーバ装置に対して要求しておくことにより、接続後直ちに受信を開始し、シームレスな切替を実現することができる。
【発明を実施するための最良の形態】
【０００９】
実施の形態１．
図１は、この発明の実施の形態１に係る無線端末装置およびサーバ装置の構成を示すブロック図である。図１において、無線端末装置１は、複数の無線システムと同時に通信を行うための通信処理部２及び３と、通信を行う無線システムの切替を制御する通信制御部４と、画像、音声などのコンテンツの処理を行うアプリケーション５とを備え、通信処理部２及び３は、個々の無線システムに関する変復調等の無線通信処理を行うようになされ、通信制御部４は、各無線システムに対応した識別子により応答経路を指定した要求メッセージをサーバ装置６に送信するようになされている。
【００１０】
また、サーバ装置６は、画像、音声などのコンテンツを配信するためのサーバアプリケーション７と、無線通信端末への応答経路を指定した応答メッセージを生成する経路制御部８と、ネットワークへの接続を行う通信処理を行う通信処理部９とを備え、経路制御部８は、無線端末装置への応答経路の情報を含む要求メッセージを無線端末装置から受信し、前記応答経路の情報に基づいて無線端末装置への応答経路を指定した応答メッセージを送信するようになされている。
【００１１】
サーバ装置６は、有線通信等の手段でネットワークと接続しており、そのインタフェースは１つ以上である。一方、無線端末装置１は、同時に２つ以上の無線システムによる通信を行う機能、すなわち、同時に２つ以上のインタフェースを持つことができる。サーバ装置６から、無線端末装置１への応答メッセージの経路、すなわち、無線端末装置１が複数の無線システムを使用してネットワークと接続している際に、どの無線システム経由でサーバ装置６からの応答を受信するかは、無線通信端末１が通信を行っている複数の無線システムのそれぞれに対応する識別子を、応答メッセージ内で指定することにより選択できるとする。この識別子は、たとえば、無線端末装置１が通信を行っている複数の無線システムのそれぞれのインタフェースに対応して用意されたＩＰアドレスである。
【００１２】
次に動作について図２を参照して説明する。図２の（ａ）、（ｂ）は、無線端末装置１が基地局Ａにより提供されている無線システムＡのサービスエリアから、基地局Ｂにより提供されている無線システムＢのサービスエリアへ移動していくときの様子を示している。図２の（ａ）に示す状態では、無線端末装置１は、無線システムＡにより、基地局Ａと接続しており、基地局Ｂとは未接続である。ここから、無線端末装置１が、基地局Ｂの方に移動すると、やがて、図２の（ｂ）のように、無線システムＢにより、基地局Ｂとの通信を開始する。
【００１３】
まず、図２の（ａ）の状態において、図１の通信処理部２は、無線システムＡの無線通信処理を行っており、通信処理部３は稼動していない。このとき、無線端末装置１は、無線システムＡを経由してサーバ装置６とのデータ交換を行っている。
【００１４】
次に、通信制御部４が、無線システムＢへの切替の契機となる事象を検出すると、通信処理部３を稼動させ、無線システムＢによる通信の準備を開始するとともに、無線端末装置１の無線システムＡ側のアドレスＡを要求元としたサーバ装置６へのデータ要求メッセージから、無線システムＢ側のアドレスＢを要求元としたサーバ装置６へのデータ要求メッセージを作成し、これらの両方の要求メッセージをサーバ装置６に対し送信する。サーバ装置６は、アドレスＢを要求元としたデータ要求メッセージを受信すると、無線システムＢ側の経路で応答を返す。
【００１５】
このようにして、一時的にサーバ装置６から無線端末装置１に、無線システムＡ経由および無線システムＢ経由の２通りの経路に同じデータを二重送信するようにして、無線システムＢ側の通信が開始すると直ちにデータを受信できるようにすることにより、無線システム切替時にシームレスな通信が行えるようにする。
【００１６】
一方、通信処理部３で無線システムＢによる通信の準備が完了すると、図２の（ｂ）のように、無線システムＢ経由でデータ受信を開始する。通信制御部４では、通信処理部３から無線システムＢ経由のデータ、すなわち、アドレスＢ宛のデータを受信すると、直ちに、もしくは、アプリケーション５からの通知を待って、通信処理部２による無線システムＡの通信を停止する。
【００１７】
通信制御部４が検出する、無線システムの切替の契機となる事象とは、例えば、位置情報による移動の検出や、通信中の無線システムの品質の低下、未接続の無線システムの検出や、受信環境の向上などが考えられ、無線端末装置１が自ら検出する事象のほか、サーバ装置やネットワークからの通知であっても良い。
【００１８】
次に、無線システム切替の過渡期に一時的に応答データの二重送信（二重化）が行われる際の動作の詳細を示す。まず、無線端末装置１のアプリケーション５がサーバ装置６のアプリケーション７へのデータ要求を発し、通信制御部４に渡す。次に、通信制御部４は、データ要求を受け取ると、アドレスＡを要求元とした要求メッセージとアドレスＢを要求元とした要求メッセージを生成し、通信処理部２に渡す。次に、通信処理部２では、受け取った２つの要求メッセージを無線システムＡ経由でサーバ装置６宛に送信する。
【００１９】
次に、サーバ装置６において、通信処理部９が、前記の２つのメッセージを受信すると、これらを経路制御部８に渡す。経路制御部８は、これら２つの要求をアプリケーション７に渡し、アプリケーション７は、それぞれの要求に対する応答としてのデータを経路制御部８に返す。経路制御部８では、アプリケーション７から、アドレスＡを要求元としたメッセージに対する応答データを受けると、アドレスＡ宛の応答メッセージを生成し、通信処理部９を経由して無線端末装置１に送信する。一方、経路制御部８は、アプリケーション７から、アドレスＢを要求元とした要求メッセージに対する応答を受けると、アドレスＢ宛の応答メッセージを生成し、通信処理部９を経由して無線端末装置１に送信する。
【００２０】
なお、この実施の形態１では、応答データの二重化が行われる期間を、無線システム切替の開始から、切替先無線システム経由でのデータ受信までとしているが、無線システム切替の時刻を予測し、その前後のある期間のみ、応答メッセージの二重化を行うようにしてもよい。無線システム切替時刻の予測は、例えば、位置情報と移動速度から切替境界への到達時刻を予測するなどして行う。
【００２１】
以上のように、実施の形態１によれば、無線システムの切替が発生する際に、一時的に切替元と切替先の２つの経路でサーバ装置６からの応答を送信するようにしている、切替先の無線システムでの通信開始後、直ちにデータをすることができ、シームレスな通信を行うことができる。また、サーバ装置６から、２つの経路に対する応答をそれぞれ発信するようにしているので、途中経路のネットワークが切替元と切替先の対応付けを管理せずに応答の二重化を実現することができる。
【００２２】
実施の形態２．
上述した実施の形態１では、無線端末装置１からサーバ装置６に対して、応答経路の数だけ要求メッセージを送信するようにしたものであるが、この実施の形態２では、１つの要求メッセージで複数の応答経路での応答を要求する二重化を実現するものである。
【００２３】
この実施の形態２における無線端末装置１およびサーバ装置６の構造は、図１に示す実施の形態１と同様な構成を備える。また、無線システム切替と応答メッセージの二重化の大まかな手順も、実施の形態１と同様である。この実施の形態２では、応答の二重化が行われている間も、無線端末装置１からサーバ装置６への要求メッセージは１つである。
【００２４】
図３は、実施の形態２に係る要求メッセージの形式例を示す図である。図３に示す例は、要求メッセージのヘッダ部に２つの要求元アドレスを格納した例であるが、他にも、拡張フィールド等を使用して複数の要求元（または応答先）アドレスを指定しても良い。以下に、応答メッセージの二重化が行われている時点での動作の詳細を示す。
【００２５】
まず、アプリケーション５がサーバ装置アプリケーション７へのデータ要求を発し、通信制御部４に渡す。次に、通信制御部４は、データ要求を受け取ると、アドレスＡとアドレスＢの２つを要求元とした要求メッセージを生成し、通信処理部２に渡す。次に、通信処理部２では、受け取った要求メッセージを無線システムＡ経由でサーバ装置６宛に送信する。
【００２６】
次に、サーバ装置６において、通信処理部９が、前記のメッセージを受信すると、これらを経路制御部８に渡す。経路制御部８は、この要求をアプリケーション７に渡し、アプリケーション７は、応答としてのデータを経路制御部８に返す。経路制御部８では、アプリケーション７から要求メッセージに対する応答データを受けると、要求で指定された２つの要求元に対するメッセージ、すなわちアドレスＡ宛の応答メッセージおよびアドレスＢ宛のメッセージのそれぞれを生成し、通信処理部９を経由して無線端末装置１に送信する。
【００２７】
以上のように、実施の形態２によれば、無線端末装置１から１つのメッセージで２つの経路宛の応答を要求するようにしているので、応答メッセージの二重化を行っている期間の、無線端末装置１からサーバ装置６への要求メッセージのトラフィックを減少させることができる。
【図面の簡単な説明】
【００２８】
【図１】この発明の実施の形態１及び２に係る無線端末装置およびサーバ装置の構成を示すブロック図である。
【図２】この発明の実施の形態１に係る動作を説明するもので、無線端末装置１が基地局Ａにより提供されている無線システムＡのサービスエリアから、基地局Ｂにより提供されている無線システムＢのサービスエリアへ移動していくときの様子を示す図である。
【図３】この発明の実施の形態２に係る要求メッセージの形式例を示す図である。
【符号の説明】
【００２９】
１  無線端末装置、２，３  通信処理部、４  通信制御部、５  アプリケーション、６  サーバ装置、７  サーバアプリケーション、８  経路制御部、９  通信処理部。
【図１】
2007274018.tif 000003
【図２】
2007274018.tif 000004
【図３】
2007274018.tif 000005